(57)【要約】【課題】温水機器を、ＡＬＣ壁に固定した場合に発生する居室内の不快な騒音を確実に防止するとともに、設置状態の美観を向上させることを目的とする。【解決手段】表側金属プレート１１および裏側金属プレート１２により、ＡＬＣ壁Ｗおよび弾性ブッシュ３０をともに挟着する。  この表側金属プレート１１は、ＡＬＣ壁Ｗ面との間にブラケット挿入スペースを有し、器具本体の背面に下向きに設けたブラケット部４０を上から引掛けるようにする。これにより、ブラケット４０は器具正面からはみ出すことがなく美観を向上させることができる。  また、表側金属プレート１１とＡＬＣ壁Ｗとの間には弾性ブッシュ３０が挟みこまれるために、器具の振動は弾性ブッシュ３０に吸収され、ＡＬＣ壁Ｗに伝播して居室内に騒音を引き起こすことがない。【選択図】    図１
2005147529.tif 000002
【特許請求の範囲】
【請求項１】
温水機器背面上部に、該背面から所定間隔をあけて背面と平行に下方向に延びるブラケットを設け、該ブラケットを弾性材を介してＡＬＣ壁面に設けた取付金具に引掛けて温水機器を保持するようにした温水機器取付構造であって、
ＡＬＣ壁面は、貫通孔が左右に２箇所設けられるとともに、この２つの貫通孔にそれぞれネジ部材を挿通し、ＡＬＣ壁の表面と裏面とに、各ネジ部材により互いに壁面方向に挟着付勢される表側金属プレートと裏側金属プレートとを備え、
上記表側金属プレートは、左右のネジ部材の間に上記ブラケットが挿入されるスペースを形成し、この表側金属プレートを挟着するネジ部材にはＡＬＣ壁面と表側金属プレートとの接触を断つ弾性ブッシュが設けられていることを特徴とするＡＬＣ壁への温水機器取付構造。
【請求項２】
上記ネジ部材は、貫通孔に挿通される長尺ナットと、長尺ナットの一端にネジ合わせされ裏側金属プレートを壁面方向に締め付ける裏側ボルトと、長尺ナットの他端にネジ合わせされ表側金属プレートを壁面方向に締め付ける表側ボルトとからなることを特徴とする請求項１記載のＡＬＣ壁への温水機器取付構造。
【請求項３】
上記弾性ブッシュは、上記表側ボルトに挿通され、上記貫通孔の外側で上記表側金属プレート裏面と当接する大径の鍔部と、上記鍔部より小径で上記貫通孔内に挿入される筒状部とを備え、上記表側ボルトをねじ込む過程で上記筒状部が上記長尺ナットの端部に当接してそれ以上の侵入が防止されることにより半径方向に膨らんで上記貫通孔に密着することを特徴とする請求項２記載のＡＬＣ壁への温水機器取付構造。
【請求項４】
上記ブラケットは、袋状の弾性体で被せられた状態で、上記表側金属プレートとＡＬＣ壁面との間に挿入されることを特徴とする請求項１ないし３記載のＡＬＣ壁への温水機器取付構造。
【発明の詳細な説明】
【技術分野】
【０００１】
本発明は、温水機器をＡＬＣ壁面に設置する際の取付構造に関する。
【背景技術】
【０００２】
従来から、ＡＬＣ（ａｕｔｏｃｌａｖｅｄ  ｌｉｇｈｔ−ｗｅｉｇｈｔ  ｃｏｎｃｒｅｔｅの略  気泡性コンクリート建材の一つ）壁の外壁面に風呂付給湯器等の温水機器を設置する場合には、温水機器内に備えられたポンプ、ファン等の回転駆動装置の振動が壁面に伝わって居室内に騒音を引き起こすことを防止するために、ゴム材を介して設置するのが一般的である。
【０００３】
この取付構造を図１１、図１２を用いて説明する。
図１１は、従来における取付構造１００の斜視図であり、図１２はこの取付構造１００を用いて風呂付給湯器をＡＬＣ壁面に設置した場合の断面図である。
この取付構造１００は、機器本体に取り付けられるブラケット部８４０と、ＡＬＣ壁に挟着して取り付けられるＡＬＣ壁取付部８５０とから構成される。
【０００４】
ブラケット部８４０はブラケット本体１０１とゴム製のブッシュ１０２と角筒状のスリーブ１０３とから構成される。
ブラケット本体１０１は、取付孔部１０１ａを備えるとともに、取り付け孔部１０４の周囲にフランジが設けられる。
このフランジに、弾性部材であるゴム製のブッシュ１０２が取り付けられる。そして、防振ゴム製のブッシュ１０２の内周面には、金属製の角筒状のスリーブ１０３が嵌合される。
【０００５】
ＡＬＣ壁取付部８５０は、ＡＬＣ壁Ｗ外側に取り付けられる表側金属プレート８１１と、ＡＬＣ壁Ｗ内側に取り付けられる裏側金属プレート部８１２と、ゴム板８３１とゴムチューブ８３２と六角ナット１０６とワッシャー１０８とから構成される。
【０００６】
表側金属プレート８１１は、一枚のステンレス板により形成されて、左右に貫通孔８１１ａを有する。
裏側金属プレート８１２は、一枚のプレート本体８１２ａと二本のボルト部１０７とから構成される。プレート本体８１２ａは鉄鋼板であり、ボルト部１０７はプレート本体８１２ａの左右に均等に溶接される。
ゴム板８３１は、金属プレート８１１、８１２ａとＡＬＣ壁Ｗとの間に挟まれるようにして取り付けられ、四角形状であり、左右に貫通孔が形成される。
【０００７】
このような取付構造１００により、風呂付給湯器ＢＨをＡＬＣ壁面Ｗに取り付ける場合には、まずＡＬＣ壁Ｗに貫通孔ＴＨを左右に２箇所設ける。
次に、裏側金属プレート部８１２のボルト部１０７を貫通孔ＴＨに挿通させて、裏側金属プレート部８１２をゴム板８３１を介してＡＬＣ壁Ｗの裏面からあてがう。この際、ボルト部１０７には、あらかじめゴムチューブ８３２を装着しておく。
そして、ＡＬＣ壁Ｗの表面から、ゴム板８３１を介して表側金属プレート８１１をあてがい、その上から上述したブラケット部８４０を重ねて、ワッシャー１０８を介してナット１０６を締め上げる。
【０００８】
このように、表、裏の金属プレート８１１、８１２によってＡＬＣ壁Ｗを挟着し、温水機器を取り付ける構成としたために、ＡＬＣ壁Ｗのように硬度の低い壁に対しても、堅固に取り付けることができる。
また、ゴムチューブ８３２によってＡＬＣ壁Ｗに設けた貫通孔ＴＨを閉塞するために、建物外の湿気や水滴が建物内に侵入することがない。
さらに、風呂付給湯器ＢＨの振動は、ＡＬＣ壁Ｗに伝わる前にゴム板８３１やゴムチューブ８３２により吸収されるため、ＡＬＣ壁面Ｗに伝わる振動は軽減される。
【特許文献１】特開２００１−３３００７９号公報
【発明の開示】
【発明が解決しようとする課題】
【０００９】
しかしながら、上記従来技術では、ブラケット部８４０の前面からナット１０６を締め上げて機器を設置する構成であるために、ブラケット部８４０は機器本体の上部に位置することになる。つまり、ブラケット部８４０が機器本体から上方にはみ出して位置することになり、美観上好ましくない。
また、表側金属プレート８１１についても見える位置にくることから、高価な材料を用いる必要がある。
さらに、機器を設置する際には、重い機器を持ち上げた状態にてナット１０６を締め付ける必要があり、しかも、一般に温水機器は排気が通行人等にあたらないように高い位置に設置されるため、施工者には負担が大きかった。
【００１０】
本発明は、上記課題を解決するためになされたものであり、ＡＬＣ壁への温水機器取付構造について、美観性、施工性を向上させるとともに、簡単確実に機器の振動にともなう不快な騒音を軽減することを目的とする。
【課題を解決するための手段】
【００１１】
上記課題を解決する本発明の請求項１記載のＡＬＣ壁への温水機器取付構造は、温水機器背面上部に、該背面から所定間隔をあけて背面と平行に下方向に延びるブラケットを設け、該ブラケットを弾性材を介してＡＬＣ壁面に設けた取付金具に引掛けて温水機器を保持するようにした温水機器取付構造であって、
ＡＬＣ壁面は、貫通孔が左右に２箇所設けられるとともに、この２つの貫通孔にそれぞれネジ部材を挿通し、ＡＬＣ壁の表面と裏面とに、各ネジ部材により互いに壁面方向に挟着付勢される表側金属プレートと裏側金属プレートとを備え、
上記表側金属プレートは、左右のネジ部材の間に上記ブラケットが挿入されるスペースを形成し、この表側金属プレートを挟着するネジ部材にはＡＬＣ壁面と表側金属プレートとの接触を断つ弾性ブッシュが設けられていることを要旨とする。
【００１２】
また、上記課題を解決する本発明の請求項２記載のＡＬＣ壁への温水機器取付構造は、上記請求項１記載のＡＬＣ壁への温水機器取付構造において、上記ネジ部材は、貫通孔に挿通される長尺ナットと、長尺ナットの一端にネジ合わせされ裏側金属プレートを壁面方向に締め付ける裏側ボルトと、長尺ナットの他端にネジ合わせされ表側金属プレートを壁面方向に締め付ける表側ボルトとからなることを要旨とする。
【００１３】
また、上記課題を解決する本発明の請求項３記載のＡＬＣ壁への温水機器取付構造は、上記請求項２記載のＡＬＣ壁への温水機器取付構造において、上記弾性ブッシュは、上記表側ボルトに挿通され、上記貫通孔の外側で上記表側金属プレート裏面と当接する大径の鍔部と、上記鍔部より小径で上記貫通孔内に挿入される筒状部とを備え、上記表側ボルトをねじ込む過程で上記筒状部が上記長尺ナットの端部に当接してそれ以上の侵入が防止されることにより半径方向に膨らんで上記貫通孔に密着することを要旨とする。
【００１４】
また、上記課題を解決する本発明の請求項４記載のＡＬＣ壁への温水機器取付構造は、上記請求項１ないし請求項３記載のＡＬＣ壁への温水機器取付構造において、上記ブラケットは、袋状の弾性体で被せられた状態で、上記表側金属プレートとＡＬＣ壁面との間に挿入されることを要旨とする。
【発明の効果】
【００１５】
上記構成を有する本発明の請求項１記載のＡＬＣ壁への温水機器取付構造は、温水機器背面から所定間隔をあけて背面と平行に下方向に延びたブラケットを、表側金属プレートとＡＬＣ壁面との間に形成されるスペースに引掛けて機器本体を保持する構成としたために、ブラケットは機器本体より上部に位置しない。
そのため、美観性を向上させることができる。さらに、表側金属プレートについても、見える場所に位置しないため、高価な材料を用いなくてもよい。
また、ブラケットを表側金属プレートに引掛けて、機器を設置することができるために、重い機器を長時間持ち上げて施工する必要がない。これにより、施工性を向上させることができる。
また、表側金属プレートと裏側金属プレートとによって、ＡＬＣ壁を挟着する構成としたために、ＡＬＣ壁のように硬度の低い壁に対しても、温水機器を堅固に固定することができる。
さらに、ＡＬＣ壁面と表側金属プレートとの間に弾性ブッシュを挟みこむ構成とするため、表側金属プレートに伝播した温水機器の振動は、弾性ブッシュに吸収される。そのため、温水機器の振動がＡＬＣ壁に伝播し、居室内に騒音を引き起こすことがない。
また、この弾性ブッシュは、ネジ部材に備える構成とするために、ネジ部材からＡＬＣ壁に伝播する振動を吸収することができる。
【００１６】
また、上記構成を有する本発明の請求項２記載のＡＬＣ壁への温水機器取付構造は、弾性ブッシュが設けられるネジ部材について、長尺ナットと表側ボルトと裏側ボルトとで構成し、特別な部品を用いないために、安価な部品で構成できる。
また、長尺ナットをＡＬＣ壁面の貫通孔に挿通し、表側ボルトと裏側ボルトとで、それぞれ表側金属プレートと裏側金属プレートとをＡＬＣ壁面方向に締め付ける構造としたために、表側金属プレートと裏側金属プレートとは、確実にＡＬＣ壁に固定される。従って、確実に温水機器をＡＬＣ壁に取り付けることができる。
さらに、裏側ボルトと長尺ナットとのネジ合わせの長さを調節することにより、種々の厚みのＡＬＣ壁に対応することができる。
【００１７】
また、上記構成を有する本発明の請求項３記載のＡＬＣ壁への温水機器取付構造は、弾性ブッシュを表側ボルトに挿通することにより、表側ボルトを長尺ナットにネジ合わせする過程で、弾性ブッシュに備えられた大径の鍔部がＡＬＣ壁貫通孔の外側で表側金属プレートの裏面と当接し、鍔部よりも小径の筒状部がＡＬＣ壁貫通孔内に挿入される。
さらにこの弾性ブッシュは、表側ボルトを長尺ナットにねじ込んでいくと、筒状部の先端が長尺ナットの端部に当接してそれ以上の侵入が防止される。この際に筒状部が径方向に膨らんで、ＡＬＣ壁貫通孔の内周壁に密着する。
このように、ＡＬＣ壁に設けられた貫通孔は、弾性ブッシュによって確実に塞がれるために、建物外の湿気や水滴が、貫通孔を経由して建物内に伝わることがない。
しかも、弾性ブッシュの軸中心は、表側ボルトの軸中心と同一となるために、ＡＬＣ壁貫通孔の内周壁とほぼ均一に接触する。そのため、ＡＬＣ壁貫通孔をいっそう確実に塞ぐことができる。
さらに、施工前には、弾性ブッシュ筒状部はＡＬＣ壁貫通孔内周壁よりも小径であるために、簡単にＡＬＣ壁貫通孔内に挿通でき、施工者の負担を増加させない。
また、弾性ブッシュ鍔部により表側金属プレートとＡＬＣ壁との直接の接触が防止されるとともに、弾性ブッシュ筒状部により表側ボルトとＡＬＣ壁との直接の接触が防止される。そのため、表側金属プレートや表側ボルトに伝播した温水機器の振動は、ＡＬＣ壁に伝播する前に弾性ブッシュによって吸収される。
【００１８】
また、上記構成を有する本発明の請求項４記載のＡＬＣ壁への温水機器取付構造は、ブラケットは袋状の弾性体が被せられた状態で、表側金属プレートとＡＬＣ壁面との間に挿入されるため、ブラケットと表側金属プレートとは直接には接触しない。そのため、ブラケットに伝播した温水機器の振動は、表側金属プレートに伝播する前に弾性体により吸収される。そのため、居室内に温水機器の振動が騒音となって伝わることを確実に防止することができる。
また、弾性体を袋状としたために、簡単にブラケットに装着でき、施工者または製造者の作業性を悪化させない。
【発明を実施するための最良の形態】
【００１９】
以上説明した本発明の構成、作用を一層明らかにするために、以下、本発明のＡＬＣ壁への温水機器取付構造における好的な実施例について説明する。
【実施例１】
【００２０】
本発明の実施例１の温水機器取付構造を図１、図１４を用いて説明する。
図１はこの温水機器取付構造１の斜視図であり、図１４はこの温水機器取付構造１を用いて風呂付給湯器を取り付けた場合の上から見た断面図である。
温水機器取付構造１は、風呂付給湯器背面に取り付けられるブラケット部４０と、ＡＬＣ壁に左右に設けられた２つの貫通孔ＴＨに挟着して取り付けられるＡＬＣ壁取付部５０とから構成される。
【００２１】
ブラケット部４０は、図２に示すように、機器ケーシングＣ背面の上部と下部に備えられ、図３に示すように、それぞれブラケット本体４１と弾性体４２とから形成される。
ブラケット本体４１は、鉄鋼板をプレスすることにより成形され、後述する表側金属プレート１１に引掛けられるプレート引掛部４１１と、風呂付給湯器ＢＨの背面に取り付けられるようにした本体取付部４１２と、風呂付給湯器ＢＨの背面とＡＬＣ壁面Ｗとの間に所定のスペースを確保するために、両取付部４１１、４１２の平面位置をずらす段差部４１３とから構成される。
本体取付部４１２は、その左右に本体取付孔４１２ａ、４１２ｂが形成される。
ブラケット本体４１は、ビスをこの本体取付孔４１２ａ、４１２ｂに挿通して、機器ケーシングＣに取り付けられる。
【００２２】
また、弾性体４２は耐候性、耐水性のゴム材により形成されて、プレート引掛部４１１を包みこむ袋部４２１と、その袋部４２１の片側面を板状に延長した機器背面接触部４２２とからなる。
この弾性体４２をブラケット本体４１に装着する際には、機器背面接触部４２２を図示する矢印方向に折曲げて、袋部４２１内にブラケット本体４１のプレート引掛部４１１を挿入する。
【００２３】
ＡＬＣ壁取付部５０は、図１５に示すように、ＡＬＣ壁Ｗを貫通して、その表、裏面を挟着して取り付けられるもので、ＡＬＣ壁Ｗ外側に取り付けられる表側金属プレート１１と、ＡＬＣ壁Ｗ内側に取り付けられる裏側金属プレート１２と、表側金属プレート１１と裏側金属プレート１２とをＡＬＣ壁Ｗに取り付けるネジ部２０と、弾性ブッシュ３０とから構成される。
【００２４】
表側金属プレート１１は、図４に示すように、風呂付給湯器ＢＨの取付位置に対応するようにＡＬＣ壁Ｗに上下に取り付けられる。
表側金属プレート１１は、１枚の金属板をプレスすることにより形成され、図５に示すように、中央にブラケット取付部１１１を備えるとともに、その両側には壁面取付部１１２が形成される。また、ブラケット取付部１１１と壁面取付部１１２との間には、ブラケット取付部１１１と壁面取付部１１２との平面位置をずらすプレート段差部１１５が形成される。このプレート段差部１１５が、本発明におけるブラケットが挿入されるスペースに相当する。
【００２５】
壁面取付部１１２には、ボルト挿通部１１３が設けられる。
ボルト挿通部１１３は、直線部１１３ａと円弧部１１３ｂとから形成される。この直線部１１３ａは、対面して左側においては横方向に形成され、右側においては縦方向に形成される。
この左右のボルト挿通部１１３にボルトを挿通することにより、表側金属プレート１１の位置は、上下方向および左右方向ともに固定されるのである。
【００２６】
裏側金属プレート１２は、図６に示すように、一枚の金属板により形成されて、左右にボルト挿通部１２１が備えられる。
裏側金属プレート１２のボルト挿通部１２１は、表側金属プレート１１と同様に、直線部１２３ａと円弧部１２３ｂとからなり、対面して左側においては横方向に形成され、右側においては縦方向に形成される。
【００２７】
弾性ブッシュ３０はブチルゴム製であり、図７に示すように、筒状部３１と鍔部３２とを備え、中央に径９ｍｍ程度の貫通孔３３が形成される。
筒状部３１は、外径がφ２０ｍｍで長さが１２ｍｍである。
鍔部３２は、外径部がφ３４ｍｍで厚みは２ｍｍ程度である。
【００２８】
ネジ部２０は、図１５に示す長尺ナット２１と表側ボルト２２と裏側ボルト２３とワッシャー２４とを備える。
長尺ナット２１は、長さ９０ｍｍの六角ナットであり、Ｍ１０の雌ネジ部を有する。
表側ボルト２２および裏側ボルト２３は、Ｍ１０の六角ボルトであり、ネジ部の長さは２０ｍｍ程度である。
【００２９】
次に、この温水機器取付構造１を用いて機器本体をＡＬＣ壁Ｗに取り付ける方法について図８、図９を用いて説明する。
まず、ＡＬＣ壁Ｗに、図１０に示すような左右均等な２つの貫通孔ＴＨを、上下２組設ける。この貫通孔ＴＨは直径２２ｍｍ程度であり、左右の間隔は２９０ｍｍ程度である。
このような貫通孔ＴＨに、ＡＬＣ壁取付部５０を上部と下部に１組ずつ取り付ける。この取付方法は上下同一のため、以下、上部側のＡＬＣ壁取付部５０について説明を行い、下部側についてはその説明を省略する。
【００３０】
まず、ワッシャー２４を介して、裏側ボルト２３を長尺ナット２１にネジ合わせする。このとき、ネジ合わせする長さｘは、ＡＬＣ壁Ｗの厚さに応じて調節する。この状態で、ＡＬＣ壁Ｗの裏面から、ＡＬＣ壁Ｗに設けた貫通孔ＴＨに長尺ナット２１を挿通する。
挿通後、ワッシャー２４とＡＬＣ壁Ｗ裏面との間に裏側金属プレート１２を挟みこむ。
【００３１】
次に、ＡＬＣ壁Ｗ表面から、ＡＬＣ壁Ｗの貫通孔ＴＨに弾性ブッシュ３０の筒状部３１を挿入する。
そして、ワッシャー２４を介して表側ボルト２２を長尺ナット２１にネジ合わせする。このとき、弾性ブッシュ３０の貫通孔３３に、表側ボルト２２が挿通される。
ネジ合わせをした後で、ワッシャー２４と弾性ブッシュ３０との間に、表側金属プレート１１を挟みこむ（図８）。
【００３２】
さらに、この表側ボルト２２を長尺ナット２１にボルト締めする過程で、筒状部３１の端部３１ａが長尺ナット２１の端部２１ａに当接すると、筒状部３１は径方向に膨張して、その外周がＡＬＣ壁Ｗの内周壁に当接し、貫通孔ＴＨが閉塞される（図９）。
このようにして、上部側のＡＬＣ壁取付部５０の取付が完了する。
同様に、下部側のＡＬＣ壁取付部５０についてもＡＬＣ壁Ｗ面に取り付ける。
【００３３】
次に、このように取り付けられた表側金属プレート１１のブラケット取付部１１１とＡＬＣ壁Ｗ面との間の隙間（本発明におけるスペース）に、図１３に示すように、ブラケット部４０を上から挿入する。このように設置することにより、図１６に示すように、風呂付給湯器ＢＨ本体と表側金属プレート１１、ブラケット本体４１と表側金属プレート１１、ブラケット本体４１とＡＬＣ壁Ｗの間には、それぞれ弾性体４２が挟みこまれる。
【００３４】
なお、下側の温水機器取付構造１は、表側金属プレート１１に図示しないネジ孔を備えており、このネジ孔に図示しないネジを挿入して、ブラケット部４０をＡＬＣ壁Ｗ面に正面から押しつける。これにより、器具本体の向きを固定し、横ずれを防止することができる。
このようにして、風呂付給湯器ＢＨのＡＬＣ壁Ｗへの取り付けが完了する（図１４）。
【００３５】
このように、ブラケット部４０を、表側金属プレート１１とＡＬＣ壁Ｗ面との間に形成されるスペースに引掛けて機器本体を保持する構成としたために、重い風呂付給湯器ＢＨを長時間持ち上げて施工する必要がない。これにより、施工性を向上させることができる。
また、ブラケット部４０は機器本体より上部に位置しないため、美観性を向上させることができる。さらに、表側金属プレート１１についても、見える場所に位置しないため、高価な材料を用いなくてもよい。
【００３６】
さらに、ブラケット部４０には、弾性体４２が取り付けられており、設置された状態では、図１６に示すように、風呂付給湯器ＢＨ本体と表側金属プレート１１、ブラケット本体４１と表側金属プレート１１、ブラケット本体４１とＡＬＣ壁Ｗの間には、それぞれ弾性体４２が挟みこまれる。
そのため、風呂付給湯器ＢＨの振動や、風呂付給湯器ＢＨからブラケット本体４１に伝播した振動は、表側金属プレート１１やＡＬＣ壁Ｗに伝播するまえに弾性体４２によって吸収される。
また、弾性体４２を袋形状としたために、簡単にブラケット本体４１に装着でき、施工者または製造者の作業性を悪化させない。
【００３７】
また、表側金属プレート１１と裏側金属プレート１２とによって、ＡＬＣ壁Ｗを挟着する構成としたために、ＡＬＣ壁Ｗのように硬度の低い壁に対しても、風呂付給湯器ＢＨを堅固に固定することができる。
【００３８】
また、ネジ部２０として、長尺ナット２１と表側ボルト２２と裏側ボルト２３とで構成し、特別な部品を用いないために、安価な部品で構成できる。
さらに、裏側ボルト２３と長尺ナット２１とのネジ合わせの長さを調節することにより、種々の厚みのＡＬＣ壁Ｗに対応することができる。
【００３９】
また、表側ボルト２２を長尺ナット２１にねじ込む過程で、弾性ブッシュ筒状部３１の先端が、長尺ナット２１の端部に当接してそれ以上の侵入が防止され、弾性ブッシュ筒状部が径方向に膨らみ、ＡＬＣ壁貫通孔ＴＨの内周壁に密着するために、ＡＬＣ壁Ｗに設けられた貫通孔ＴＨは、弾性ブッシュ３０によって確実に塞がれる。従って、建物外の湿気や水滴が、貫通孔を経由して建物内に伝わることがない。
さらに、弾性ブッシュ３０の軸中心は、表側ボルト２２の軸中心と同一となるために、ＡＬＣ壁貫通孔ＴＨの内周壁とほぼ均一に接触する。そのため、ＡＬＣ壁貫通孔をいっそう確実に塞ぐことができる。
しかも、施工前には、弾性ブッシュ筒状部３１はＡＬＣ壁貫通孔内周壁よりも小径であるために、簡単にＡＬＣ壁貫通孔ＴＨ内に挿通でき、施工者の負担を増加させない。
【００４０】
また、表側金属プレート１１とＡＬＣ壁Ｗとの間には弾性ブッシュ３０の鍔部３２が挟みこまれる。つまり、表側金属プレート１１とＡＬＣ壁Ｗとは直接接触しない。また、弾性ブッシュ３０の筒状部３１により表側ボルトとＡＬＣ壁との直接の接触が防止される。そのため、表側金属プレート１１や表側ボルト２２に伝播した風呂付給湯器ＢＨの振動は、ＡＬＣ壁に伝播する前に弾性ブッシュ３０によって吸収される。
【００４１】
以上、本発明の実施例について説明したが、本発明はこうした実施形態に何ら限定されるものではなく、本発明の要旨を逸脱しない範囲において種々なる形態で実施しうることはもちろんである。
たとえば、ブラケット部の機器ケーシングへの取付場所は、少なくとも背面上部に１箇所あればよく、背面上下１箇所ずつに限定されるものではない。
また、ネジ部材はボルトとナットに限定しない。
さらに、弾性ブッシュの鍔部は、ＡＬＣ壁貫通孔よりも大きければよく、円筒形状に限定しない。
【産業上の利用可能性】
【００４２】
本発明は、振動源を備えた装置を、振動の影響を受けやすい軽量性の壁の壁面に取り付ける場合の種々の取付構造に適用することができる。
【図面の簡単な説明】
【００４３】
【図１】本発明実施例の温水機器取付構造を示す説明図である。
【図２】本発明実施例のブラケット部を示す説明図である。
【図３】本発明実施例のブラケット部を示す説明図である。
【図４】本発明実施例の表側金属プレートを示す説明図である。
【図５】本発明実施例の表側金属プレートを示す説明図である。
【図６】本発明実施例の裏側金属プレートを示す説明図である。
【図７】本発明実施例の弾性ブッシュを示す説明図である。
【図８】本発明実施例の温水機器取付構造を示す説明図である。
【図９】本発明実施例の温水機器取付構造を示す説明図である。
【図１０】本発明実施例のＡＬＣ壁貫通孔を示す説明図である。
【図１１】従来の温水機器取付構造を示す説明図である。
【図１２】従来の温水機器取付構造を示す説明図である。
【図１３】本発明実施例のブラケット部の取付方法を示す説明図である。
【図１４】本発明実施例の温水機器取付構造を示す説明図である。
【図１５】本発明実施例のＡＬＣ壁取付部を示す説明図である。
【図１６】本発明実施例のブラケット部の取付方法を示す説明図である。
【符号の説明】
【００４４】
１  温水機器取付構造
Ｃ  機器ケーシング
Ｗ  ＡＬＣ壁
１１  表側金属プレート
１２  裏側金属プレート
２０  ネジ部
２１  長尺ナット
２２  表側ボルト
２３  裏側ボルト
２４  ワッシャー
３０  弾性ブッシュ
４０  ブラケット部
４１  ブラケット本体
４２  弾性体
５０  ＡＬＣ壁取付部
ＢＨ  温水機器
１１１  ブラケット取付部
１１２  壁面取付部
１１３  ボルト挿通部
４１１  プレート引掛部
４１２  本体取付部
４２１  袋部
４２２  機器背面接触部
【図１】
2005147529.tif 000003
【図２】
2005147529.tif 000004
【図３】
2005147529.tif 000005
【図４】
2005147529.tif 000006
【図５】
2005147529.tif 000007
【図６】
2005147529.tif 000008
【図７】
2005147529.tif 000009
【図８】
2005147529.tif 000010
【図９】
2005147529.tif 000011
【図１０】
2005147529.tif 000012
【図１１】
2005147529.tif 000013
【図１２】
2005147529.tif 000014
【図１３】
2005147529.tif 000015
【図１４】
2005147529.tif 000016
【図１５】
2005147529.tif 000017
【図１６】
2005147529.tif 000018